(57)【要約】【課題】  骨壷を容易に出し入れすることが可能な墓石台を提供する。【解決手段】  本発明に係る墓石台12において、墓石台12は前面に開口26を有すると共に該開口26から奥方へ拡がる内部室27を有する石製の支持体２と、該支持体２の内部室27に収容された収容位置と前記開口26から前方へ突出した引出し位置との間で往復移動が可能な石製の引出し体６とを具えている。該引出し体６は、前記支持体２の開口26を塞ぐことが可能な形状を有する前板部64と、該前板部64の下端から前記支持体２の内部室27の奥方へ向かって伸びる底板部65とを具えている。該引出し体６の裏面には、引出し体６の往復移動に伴って回転すべき複数の車輪が配備されている。【選択図】  図４
2006342490.tif 000002
【特許請求の範囲】
【請求項１】
墓石本体(10)が積み重ねられるべき墓石台であって、前面に開口(26)を有すると共に該開口(26)から奥方へ拡がる内部室(27)を有する石製の支持体(２)と、該支持体(２)の内部室(27)に収容された収容位置と前記開口(26)から前方へ突出した引出し位置との間で往復移動が可能な石製の引出し体(６)とを具え、該引出し体(６)は、前記支持体(２)の開口(26)を塞ぐことが可能な形状を有する前板部(64)と、該前板部(64)の下端から前記支持体(２)の内部室(27)の奥方へ向かって伸びる底板部(65)とを具え、該引出し体(６)の裏面には、引出し体(６)の往復移動に伴って回転すべき複数の車輪(62)(62)が配備されていることを特徴とする墓石台。
【請求項２】
前記支持体(２)には、前記複数の車輪(62)(62)の転動を案内する複数本のガイドレール(22)(22)が取り付けられている請求項１に記載の墓石台。
【請求項３】
前記支持体(２)には、前記引出し体(６)が内部室(27)に収容された状態で前記開口(26)を塞ぐための扉が開閉操作可能に取り付けられている請求項１又は請求項２に記載の墓石台。
【発明の詳細な説明】
【技術分野】
【０００１】
本発明は、墓石本体が積み重ねられるべき墓石台に関するものである。
【背景技術】
【０００２】
図１０は、従来の一般的な墓の構成を示している。図示の如く、墓石(８)は、墓石台(83)、中台石(82)、上台石(81)及び竿石(80)を積み重ねて構成される。該墓石台(83)は４つのブロック(84)〜(84)から構成され、中央部には骨壷を収容するための納骨室が形成されている(例えば特許文献１参照)。墓石台(83)上には、前記納骨室を密閉するための直方体状の石材からなる納骨室塞ぎ石(85)が着脱可能に設けられ、該納骨室塞ぎ石(85)を取り外すことにより納骨室に骨壷を収容することが出来る。
【０００３】
図１１は、従来の他の墓の構成を示している。図示の如く、墓石(９)は、中央部に骨壷を収容するための納骨室(94)が形成された墓石台(90)と、前面側に開設された開口と該開口から納骨室(94)に通じる空間が形成された中台石(91)と、該中台石(91)上に設置された上台石(92)と、該上台石(92)上に設置された竿石(93)とを具えている。
墓石台(90)上には、一対の花立台(96)(96)と、該一対の花立台(96)(96)により挟持された供物台(97)と、該供物台(97)と対向して墓石台(90)上に設置された水切石(98)とが設置されている。該供物台(97)と水切石(98)には、前記中台石(91)の前面側に開設された開口を塞ぐ大きさの片開き扉(95)が取り付けられている。該片開き扉(95)を開くことによって、墓石台(90)に設けられた納骨室(94)に骨壷を収容することが出来る(例えば特許文献２参照)。
【特許文献１】特開２００１−１５２６９９号公報
【特許文献２】特開２００３−３４３１２０号公報
【発明の開示】
【発明が解決しようとする課題】
【０００４】
しかしながら、図１０に示す従来の墓においては、骨壷を納骨室から取り出すために納骨室塞ぎ石(85)を取り外す必要があるが、該納骨室塞ぎ石(85)は重量が大きいため、納骨室塞ぎ石(85)を取り外して骨壷を取り出す作業は重労働である問題があった。
又、図１１に示す従来の墓においては、墓石台(90)の中央部に納骨室(94)が配備されているので、外部から骨壷を取り出すためには納骨室(94)の奥方に手を伸ばす必要があり、年配の人にとっては困難な作業であった。
【０００５】
そこで、本発明の目的は、納骨室に骨壷を容易に収納することが出来る墓石台を提供することである。
【課題を解決するための手段】
【０００６】
本発明において、墓石本体に積み重ねられるべき墓石台は、前面に開口(26)を有すると共に該開口(26)から奥方へ拡がる内部室(27)を有する石製の支持体(２)と、該支持体(２)の内部室(27)に収容された収容位置と前記開口(26)から前方へ突出した引出し位置との間で往復移動が可能な石製の引出し体(６)とを具え、該引出し体(６)は、前記支持体(２)の開口(26)を塞ぐことが可能な形状を有する前板部(64)と、該前板部(64)の下端から前記支持体(２)の内部室(27)の奥方へ向かって伸びる底板部(65)とを具え、該引出し体(６)の裏面には、引出し体(６)の往復移動に伴って回転すべき複数の車輪(62)(62)が配備されている。
【０００７】
上記本発明に係る墓石台によれば、引出し体(６)に押圧方向又は引張方向の力を加えることにより、底板部(65)に設けられた複数の車輪(62)が支持体(２)の内部室(27)の底面に沿って転動するので、大きな力を加えることなく、引出し体(６)を収容位置から引出し位置まで移動させることが出来、これによって該引出し体(６)から骨壷を取り出すことが可能となる。
【０００８】
具体的構成において、前記支持体(２)には、前記複数の車輪(62)(62)の転動を案内する複数本のガイドレール(22)(22)が取り付けられている。
【０００９】
該具体的構成においては、引出し体(６)に力が加えられると、該車輪(62)がガイドレール(22)に沿って転動するので、引出し体(６)をスムーズに出し入れすることが出来る。
【００１０】
具体的構成において、前記支持体(２)には、前記引出し体(６)が内部室(27)に収容された状態で前記開口(26)を塞ぐための扉が開閉操作可能に取り付けられている。
【００１１】
該具体的構成においては、扉により引出し体(６)が隠されることとなるので、外観は良好である。
【発明の効果】
【００１２】
本発明に係る墓石台によれば、内部室に骨壷を容易に収容することが出来る。
【発明を実施するための最良の形態】
【００１３】
以下、本発明の実施例を図面に沿って具体的に説明する。
図１及び図２に示す如く、本実施例の墓石(１)は、墓石台(12)、墓石本体(10)、花立台(11)及び笠付香炉台(７)とを具えている。該墓石本体(10)は、墓石台(12)上に載置される中台石(３)と、該中台石(３)上に載置される上台石(４)と、該上台石(４)上に載置される竿石(５)とから構成され、花立台(11)と笠付香炉台(７)は支持体(２)上に隣接して載置されている。
【００１４】
図３に示す如く、墓石台(12)の支持体(２)は、直方体状の石材からなる左右一対の側方ブロック(23)(23)と、該側方ブロック(23)(23)の一端に固定されて一対の両開き扉(20)(20)が設けられた石製の前方ブロック(24)と、該側方ブロック(23)(23)の他の一端に固定されて前方ブロック(24)と同一の大きさを有する石製の後方ブロック(25)と、これら４つのブロック(23)(23)(24)(25)を支持する底部ブロック(28)とから構成され、これら５つのブロック(23)(23)(24)(25)(28)により図４の如く骨壷(60)を収容する内部室(27)が形成されている。
前方ブロック(24)には内部室(27)に通じる開口(26)が形成され、各開き扉(20)の前面にはボタン状のノブ(21)が設けられている。又、底部ブロック(28)の両側部には、側方ブロック(23)(23)に沿って一対のガイドレール(22)(22)が設置されている。
【００１５】
前記内部室(27)には、骨壷(60)を収容するための石製の引出し体(６)が設置され、該引出し体(６)は、前方ブロック(24)の開口(26)を塞ぐ大きさの前板部(64)と、図５に示す前板部(64)の両端部から伸びる左右一対の側板部(66)(66)と、前板部(64)及び側板部(66)(66)を支持する底板部(65)から構成されている。
【００１６】
図６に示す如く、前板部(64)の上部には指掛かり(61)が開設されている。図７、図８及び図９に示す如く、底板部(65)の裏面の両側部には、それぞれ２個の車輪(62)(62)が取り付けられている。各車輪(62)には中心部に孔(図示省略)が開設され、該孔に車輪孔(67)に嵌合された軸(63)が貫通している。
【００１７】
支持体(２)の内部室(27)から骨壷(60)を取り出す際、先ず前方ブロック(24)の両開き扉(20)(20)を開ける。その後、支持体(２)の内部室(27)内に設置された引出し体(６)に引出し方向の力を加える。これによって、４つの車輪(62)〜(62)が一対のガイドレール(22)(22)に沿って転動し、引出し体(６)は内部室(27)から前方ブロック(24)の開口(26)を経て外部に引き出されることとなる。
【００１８】
上記本実施例によれば、大きな力を加えることなく、引出し体(６)を支持体(２)から引き出して、内部室(27)に骨壷(60)を容易に収容することが出来る。
【図面の簡単な説明】
【００１９】
【図１】本発明の実施例に係る墓の斜視図である。
【図２】本発明の実施例に係る墓において引出し体を引出した状態を示す斜視図である。
【図３】本発明の実施例に係る墓石台の斜視図である。
【図４】墓石台に引出し体を設置した状態を示す斜視図である。
【図５】引出し体の斜視図である。
【図６】引出し体の正面図である。
【図７】引出し体の底面図である。
【図８】引出し体の平面図である。
【図９】引出し体の側面図である。
【図１０】従来の墓の一例を示す斜視図である。
【図１１】従来の他の墓の一例を示す斜視図である。
【符号の説明】
【００２０】
(１)  墓石
(10)  墓石本体
(12)  墓石台
(２)  支持体
(20)  両開き扉
(22)  ガイドレール
(23)  側方ブロック
(24)  前方ブロック
(25)  後方ブロック
(６)  引出し体
(62)  車輪
(64)  前板部
(65)  底板部
【図１】
2006342490.tif 000003
【図２】
2006342490.tif 000004
【図３】
2006342490.tif 000005
【図４】
2006342490.tif 000006
【図５】
2006342490.tif 000007
【図６】
2006342490.tif 000008
【図７】
2006342490.tif 000009
【図８】
2006342490.tif 000010
【図９】
2006342490.tif 000011
【図１０】
2006342490.tif 000012
【図１１】
2006342490.tif 000013